(57)【要約】【課題】  コンタクトを外力から保護する補強金具を利用して、高周波信号が流れるコンタクトをより確実に電磁シールドするレセプタクルコネクタを提供する。【解決手段】  記突板部の表面の一部を覆う補強カバーを有する補強金具にハウジング本体の外周面の一部に露出する接触パッドを一体に形成し、ハウジング本体の外周面に沿って取り付けられるシールドシェル金具に接触させる。【選択図】図８
2014032816.tif 000002
【特許請求の範囲】
【請求項１】
ハウジング本体と、前記ハウジング本体の前面から前方に突設された突板部を有する絶縁ハウジングと、
前記絶縁ハウジングに互いに絶縁して取り付けられ、前記突板部の平面若しくは底面に前方の接触部が前後方向に沿って露出する複数のコンタクトと、
前記複数のコンタクトと絶縁して前記絶縁ハウジングに取り付けられ、前記突板部の表面の一部を覆う補強カバーを有する補強金具と、                             
前記ハウジング本体の外周面に沿って取り付けられ、前記突板部との間に相手方プラグを挿入する筒状の嵌合凹部が形成されるシールドシェル金具とを備え、
複数のコンタクトの周囲を接地接続したシールドシェル金具で囲うレセプタクルコネクタであって、
前記補強金具に前記ハウジング本体の外周面の一部に露出する接触パッドを一体に形成し、
前記ハウジング本体の外周面に沿って取り付けられる前記シールドシェル金具に接触させることを特徴とするレセプタクルコネクタ。
【請求項２】
前記接触パッドは、前記ハウジング本体の平坦な平面若しくは底面に沿って露出し、
前記シールドシェル金具の対応部位から内方に傾斜して一体に切り起こされた板バネ舌片が、前記接触パッドに弾性接触することを特徴とする請求項１に記載のレセプタクルコネクタ。
【請求項３】
接触パッドは、ハウジング本体の平面若しくは底面に沿って露出する部位の前端からほぼ直角に湾曲された鉛直片部が、ハウジング本体の前面に沿って露出することを特徴とする請求項２に記載のレセプタクルコネクタ。
【請求項４】
前記補強カバーは、前記複数のコンタクトと前記突板部を隔てた前記前記突板部の底面若しくは平面を覆うことを特徴とする請求項１乃至請求項３のいずれか１項に記載のレセプタクルコネクタ。
【請求項５】
前記複数のコンタクトと前記補強金具は、絶縁ハウジングに一体成形されることを特徴とする請求項１乃至請求項４のいずれか１項に記載のレセプタクルコネクタ。
【発明の詳細な説明】
【技術分野】
【０００１】
本発明は、複数のコンタクトが露出する突板部の周囲が筒状のシールドシェル金具で覆われ、突板部とシールドシェル金具との間の嵌合凹部に相手側プラグが嵌合接続するレセプタクルコネクタに関し、更に詳しくは、接地接続するシールドシェル金具で複数のコンタクトを電磁シールドするレセプタクルコネクタに関する。
【背景技術】
【０００２】
ホスト機器と周辺機器を接続するＵＳＢ（ユニバーサル・シリアル・バス）規格で用いるＵＳＢコネクタ等の高速データ伝送を行う用途で用いられるレセプタクルコネクタは、コンタクトが露出させた突板部の周囲を接地接続した筒状のシールドシェル金具で覆い、高周波信号が流れるコンタクトを外部と遮断している。
【０００３】
このレセプタクルコネクタと接続する相手側プラグは、レセプタクルコネクタの突板部とシールドシェル金具間の嵌合凹部に嵌合する筒状に接続部が形成されいるが、突板部の突出方向に対して傾斜する方向から相手側プラグを接続しようとすると、筒状の接続部が突板部や突板部に臨むコンタクトに当接し、これらが変形したり破損することがあった。
【０００４】
そこで、導製金属板からなる補強金具１０１の補強カバー１０１ａを突板部１０２ａに取り付け、傾斜する姿勢で接続しようとする相手側プラグから、突板部１０２ａやコンタクト１０３を保護するレセプタクルコネクタ１００が知られている（特許文献１）。この従来のレセプタクルコネクタ１００は、図１２、図１３に示すように、長方形板状の突板部１０２ａとハウジング本体１０２ｂとからなる絶縁ハウジング１０２と、絶縁ハウジング１０２の成形の際にインサート成形により一体に取り付けられる複数のコンタクト１０３及び補強金具１０１と、ハウジング本体１０２ｂの外周面に沿って組み付けられる筒状のシールドシェル金具１０４とからなっている。
【０００５】
長方形板状の突板部１０２ａは、ハウジング本体１０２ｂから相手側プラグとの接続方向である前方に一体に突設され、複数のコンタクト１０３が、突板部１０２ａの底面側に所定のピッチで前後方向に整列して臨んでいる。また、突板部１０２の側面と前面の一部は、補強金具１０１の前方の補強カバー１０１ａにより覆われている。筒状のシールドシェル金具１０４は、ハウジング本体１０２ｂの外周面に沿って組み付けることにより、図１３に示すように、突板部１０２ａとシールドシェル金具１０４の間に嵌合凹部１０５が形成され、その一部がレセプタクルコネクタ１００を実装する図示しないプリント配線基板の接地電位とした接地パターンに半田接続される。
【０００６】
突板部１０２ａとシールドシェル金具１０４間の嵌合凹部１０５へ前方から相手側プラグを挿入すると、相手側プラグの図示しない複数のプラグコンタクトが嵌合凹部１０５に臨む複数のコンタクト１０３にそれぞれ接触し、レセプタクルコネクタ１００と相手側プラグが接続する。この相手側プラグの挿入の際に、正しい挿入方向である前後方向に対して傾斜する方向から挿入する相手側プラグは、突板部１０２の側面と前面の一部を覆う補強カバー１０１ａに当接し、誤挿入の相手側プラグから突板部１０２やコンタクト１０３が保護される。
【先行技術文献】
【特許文献】
【０００７】
【特許文献１】特許第４８１９１０９号公報
【発明の概要】
【発明が解決しようとする課題】
【０００８】
この従来のレセプタクルコネクタ１００によれば、高周波信号が流れるコンタクト１０３の周囲が、接地電位としたシールドシェル金具１０４で囲われるので、電磁シールドされるが、筒状のシールドシェル金具１０４には、接続した相手側プラグが簡単に抜け出ないように、相手側プラグに係合する係合孔やシールドシェル金具１０４の一部から切り起こす係合突起が設けられ、これらの係合部を形成することによって、シールドシェル金具１０４の一部に開口が生じ、また、相手側プラグを接続しない状態で嵌合凹部１０５が開口し、これらの開口を通して、外部からノイズが侵入したり、コンタクト１０３に流れる高周波信号が外部に漏れる不要輻射が生じる問題があった。
【０００９】
また、上記のレセプタクルコネクタ１００には、誤挿入する相手側プラグから突板部１０２やコンタクト１０３を保護する補強金具１０１が取り付けられ、他のコンタクト１０３の脚部１０３ａに外力が加わらないように、その脚部１０１ｂをプリント配線基板へ固定しているが、専ら機械的な外力に対して作用させるように金属板を用いているものであり、電気的にはいずれにも接続せず、不安定な電位となっている。この不安定な電位の補強金具１０１がコンタクト１０３に接近して配置されていることから、コンタクト１０３を流れる高周波伝送路の特性インピーダンスは安定せず、伝送効率が悪化する原因となっていた。
【００１０】
補強金具１０１の脚部１０１ｂを接地電位とした接地パターンに半田接続すれば、補強金具１０１を接地電位として特性インピーダンスを安定させることができるが、そのために、補強金具１０１に脚部１０１ｂを形成する必要があると共に、シールドシェル金具１０４との接続位置と異なる位置に接地パターンを配線する必要があり、プリント配線基板の実装密度が低下するという新たな課題が生じる。
【００１１】
また、シールドシェル金具１０４と補強金具１０１がプリント配線基板上の接地パターンを介して接続されることによって、両者間を接続する導電路が長くなり、高周波ノイズが流れることによって電位差が発生し、充分なシールド効果が得られない恐れがあった。
【００１２】
本発明はこのような問題点に鑑みてなされたもので、コンタクトを外力から保護する補強金具を利用して、高周波信号が流れるコンタクトをより確実に電磁シールドするレセプタクルコネクタを提供することを目的とする。
【００１３】
また、コンタクトを外力から保護する補強金具を利用して、コンタクトを流れる高周波伝送路のインピーダンスコントロールをより確実に行うことが可能なレセプタクルコネクタを提供することを目的とする。
【課題を解決するための手段】
【００１４】
上述の目的を達成するため、請求項１のレセプタクルコネクタは、ハウジング本体と、前記ハウジング本体の前面から前方に突設された突板部を有する絶縁ハウジングと、前記絶縁ハウジングに互いに絶縁して取り付けられ、前記突板部の平面若しくは底面に前方の接触部が前後方向に沿って露出する複数のコンタクトと、前記複数のコンタクトと絶縁して前記絶縁ハウジングに取り付けられ、前記突板部の表面の一部を覆う補強カバーを有する補強金具と、前記ハウジング本体の外周面に沿って取り付けられ、前記突板部との間に相手方プラグを挿入する筒状の嵌合凹部が形成されるシールドシェル金具とを備え、複数のコンタクトの周囲を接地接続したシールドシェル金具で囲うレセプタクルコネクタであって、前記補強金具に前記ハウジング本体の外周面の一部に露出する接触パッドを一体に形成し、前記ハウジング本体の外周面に沿って取り付けられる前記シールドシェル金具に接触させることを特徴とする。
【００１５】
板状で撓みやすい突板部と突板部に露出する複数のコンタクトの接触部は、突板部の表面の一部を覆う補強カバーによって補強され、意図しない外力を受けても変形しない。
【００１６】
補強金具の一部の接触パッドは、ハウジング本体の外周面の一部に露出するので、ハウジング本体の外周面に沿って取り付けられるシールドシェル金具に自然に接触し、接地接続される。
【００１７】
請求項２のレセプタクルコネクタは、前記接触パッドが、前記ハウジング本体の平坦な平面若しくは底面に沿って露出し、前記シールドシェル金具の対応部位から内方に傾斜して一体に切り起こされた板バネ舌片が、前記接触パッドに弾性接触することを特徴とする。
【００１８】
接触パッドは、突板部の表面の一部を覆う補強カバーに接近して形成されるので、短い導電路でシールドシェル金具に接触する。
【００１９】
接触パッドは、ハウジング本体の平坦な平面若しくは底面に沿って露出するので、平坦面で露出し、平坦面の接触パッドに板バネ舌片が弾性接触するので、補強金具とシールドシェル金具は確実に電気接続する。
【００２０】
請求項３のレセプタクルコネクタは、ハウジング本体の平面若しくは底面に沿って露出する部位の前端からほぼ直角に湾曲された接触パッドの鉛直片部が、ハウジング本体の前面に沿って露出することを特徴とする。
【００２１】
接触パッドを、ハウジング本体の平面若しくは底面に沿って露出する接触パッドの部位がこれらの面から突出していても、その前端が直角に湾曲されて鉛直片部に連続するので、シールドシェル金具の後方から絶縁ハウジングを挿入する際に、接触パッドの前端がシールドシェル金具に当接しても、前端の湾曲面に沿ってシールドシェル金具は外方に撓み、シールドシェル金具をハウジング本体の外周面に沿って取り付けることができる。
【００２２】
接触パッドの鉛直片部は、相手側プラグを挿入する嵌合凹部の内奥面となるハウジング本体の前面に沿って露出する。
【００２３】
請求項４のレセプタクルコネクタは、前記補強カバーが、前記複数のコンタクトと前記突板部を隔てた前記前記突板部の底面若しくは平面を覆うことを特徴とする。
【００２４】
突板部を介して接地された補強カバーと各コンタクトとの間隔を一定の距離に設定できるので、高周波信号が流れるコンタクトの高周波伝送路の特性インピーダンスを調整できる。
【００２５】
請求項５のレセプタクルコネクタは、前記複数のコンタクトと前記補強金具は、絶縁ハウジングに一体成形されることを特徴とする。
【００２６】
複数のコンタクトと補強金具は、絶縁ハウジングの成形工程で絶縁ハウジングに一体に取り付けられる。
【発明の効果】
【００２７】
請求項１の発明によれば、補強金具に、プリント配線基板上に接地パターンを配線したり、その配線パターンへ接続させる脚部等の接地手段を設けずに、シールドシェル金具をハウジング本体に組み付ける組み立て工程で補強金具を自然に接地させることができる。
【００２８】
接地された補強金具の補強カバーが、シールドシェル金具より接近してコンタクトの周囲に配置されるので、高周波信号が流れるコンタクトをより確実に電磁シールドできる。
【００２９】
請求項２の発明よれば、突板部の一部を覆う補強カバーと接触パッドが平行若しくは直交するので、一枚の導電性金属板から補強カバーと接触パッドを有する補強金具を簡単な折り曲げ加工で形成できる。
【００３０】
また、複数のコンタクトを電磁シールドする補強カバーからシールドシェル金具に接触して接地されるまでの導電路が短いので、高周波ノイズによる電位差が生じることがなく、複数のコンタクトがより確実に電磁シールドされる。
【００３１】
平坦面の接触パッドに板バネ舌片を弾性接触させるので、ハウジング本体の外周面と接触パッドが同一面上であるか否かにかかわらず、補強金具はシールドシェル金具に確実に電気接続する。
【００３２】
請求項３の発明よれば、接触パッドがハウジング本体の平面若しくは底面から外方に突出していても、接触パッドと干渉せずに、シールドシェル金具をハウジング本体の外周面に沿って取り付けることができる。
【００３３】
また、金属板からなる接触パッドの鉛直片部は、嵌合凹部の内奥面に露出するので、嵌合凹部に挿入される相手側プラグのストッパーとして作用させることができ、挿入される相手側プラグから絶縁ハウジングを保護できる。
【００３４】
請求項４の発明によれば、補強カバーや突板部の形状から、各コンタクトの特性インピーダンスを所定値とするインピーダンスコントロールが容易になる。
【００３５】
請求項５の発明によれば、複数のコンタクトと補強金具を、絶縁ハウジングへの組み立て工程を要せず、絶縁ハウジングの成形する一度の成形工程絶縁ハウジングへで取り付けることができる。
【図面の簡単な説明】
【００３６】
【図１】本発明の一実施の形態に係るレセプタクルコネクタ１の正面図である。
【図２】レセプタクルコネクタ１を前方から見た斜視図である。
【図３】レセプタクルコネクタ１を後方から見た斜視図である。
【図４】レセプタクルコネクタ１の平面図である。
【図５】レセプタクルコネクタ１の背面図である。
【図６】図１のＡ−Ａ線断面図である。
【図７】図１のＢ−Ｂ線断面図である。
【図８】コンタクト３と補強金具４を一体成形した絶縁ハウジング２の斜視図である。
【図９】コンタクト３と補強金具４を一体成形した絶縁ハウジング２の平面図である。
【図１０】図９のＣ−Ｃ断面図である。
【図１１】補強金具４の斜視図である。
【図１２】シールドシェル金具１０４を除いた従来のレセプタクルコネクタ１００の斜視図である。
【図１３】従来のレセプタクルコネクタ１００の正面図である。
【発明を実施するための形態】
【００３７】
以下、本発明の一実施の形態に係るレセプタクルコネクタ１を図１乃至図１１を用いて詳細に説明する。レセプタクルコネクタ１は、図１に示す正面側から挿入される図示しない相手側プラグと接続するものであり、以下、レセプタクルコネクタ１の各部の説明は、相手側プラグとの接続方向を前方として、図４のレセプタクルコネクタ１を上方からみた平面図において、下方を前方、上方を後方、左右方向を左右方向として説明する。
【００３８】
これらの図に示すように、レセプタクルコネクタ１は、絶縁ハウジング２と、絶縁ハウジング２に一体に取り付けられる複数のコンタクト３及び補強金具４と、絶縁ハウジング２の外周面に沿って取り付けられる筒状のシールドシェル金具５とから構成される。絶縁ハウジング２は、リフロー炉内の高温下で変形しない耐熱性に優れた液晶ポリマー等の絶縁合成樹脂を用いて、図８に示すように、直方体状のハウジング本体２１と板状の突板部２２が一体に形成されてなるものである。
【００３９】
ハウジング本体２１の左右の側面と底面の間は傾斜面で連続し、これによりハウジング本体２１の外周面（平面、両側面及び底面）は、前方からみて横長長方形の下側の両角が傾斜線となった６角形となっている。また、平面の中央から後面にかけて長方形の係合凹部２３が凹設され、その中央から上方に向けてシールドシェル金具５を後方に対して抜け止めするストッパー２４が突設されている。
【００４０】
突板部２２は、相手側プラグとの接続方向である前方に向かってハウジング本体２１の前面から突設され、厚板状の表面側となる平面は、補強金具４の後述する補強カバー４１によって覆われる。また、裏面側となる背面には、前後方向に沿って多数の凹溝２５が等ピッチで形成されている。各凹溝２５の幅は、複数の各コンタクト３の細長帯状の接触部３１の横幅にほぼ等しく、各凹溝２５の内頂面に沿って各接触部３１が露出する状態で接触部３１を位置決めしている。
【００４１】
複数（本実施の形態では５本）の各コンタクト３は、それぞれ燐青銅等の導電性の金属プレートを打ち抜いた後、図６に示すように、細長帯状に屈曲形成してなるもので、上述した凹溝２５の内頂面に沿って露出する接触部３１と、クランク状に折り曲げられハウジング本体２１に埋設される固定部３２と、ハウジング本体２１の後面から後方に引き出される脚部３３とが一体に連設されている。各コンタクト３の脚部３３は、同一平面上に引き出され、同平面を表面とする図示しないプリント配線基板の対応部位に形成されたランドパターンに半田付けされることにより、プリント配線基板の対応するパターンに電気接続する。
【００４２】
補強金具４は、ステンレス板等の導電性の薄板金属板をプレス加工して、図１１に示すように、長方形状の補強カバー４１と、補強カバー４１の後方の基部４１ａから左右の両側に突出する一対の固定片４２、４２と、各固定片４２の前端から上方に起立する鉛直片部４１ｂと、鉛直片部４１ｂの上端から後方に水平に折り返された接触パッド４３とが一体に形成される。補強カバー４１は、突板部２２の平面から前面に沿ってその表面を覆うように、その前端がほぼ直角に湾曲して折り曲げられている。また、突板部２２の平面を覆う補強カバー４１の部位の横幅（左右方向の幅）は、突板部２２の横幅よりわずかに狭く、更に、この平面を覆う部位には、多数の窓孔４１ｃが穿設されている。
【００４３】
上述のように構成された複数のコンタクト３と補強金具４は、絶縁ハウジング２を射出成形する際にインサート成形され、絶縁ハウジング２に一体に取り付けられる。この成形の際に、突板部２２を成形する成形樹脂の一部は、補強カバー４１の多数の窓孔４１ｃ内と補強カバー４１の両側に流入して硬化し、図８に示すように、補強カバー４１は突板部２２の平面から前面を覆う状態で突板部２２に強固に位置決め固定される。
【００４４】
また、補強カバー４１の基部４１ａと固定片４２は、ハウジング本体２１に埋設され、ハウジング本体２１に一体に固定される。この固定片４２がハウジング本体２１に固定された状態で、鉛直片部４１ｂと接触パッド４３は、突板部２２の両側でハウジング本体２１の前面から平面にかけて露出する。
【００４５】
このように本実施の形態では、補強カバー４１が突板部２２の側面を覆うものではないが、補強カバー４１が突板部２２と同一面となるように一体成形されるので、誤姿勢で挿入する相手側プラグが突板部２２の側面に当接しても、その内側に埋め込まれた補強カバー４１が相手側プラグからの外力を受け、突板部２２やその底面に沿って配置されるコンタクト３自体が外力を受けて変形するようなことがない。
【００４６】
逆に、補強カバー４１が突板部２２の側面に露出しないので、相手側プラグが突板部２２の側方から当接しても補強カバー４１が突板部２２から剥がれることがない。
【００４７】
絶縁ハウジング２にインサート成形される各コンタクト３は、図６に示すように、固定部３２がハウジング本体２１に、やや上方に折り曲げられた接触部３１の前端が突板部２２にそれぞれ一体成形され、他のコンタクト３及び補強金具４と絶縁して絶縁ハウジング２に取り付けられる。接触部３１の前端が突板部２２に埋設されることにより、突板部２２の凹溝２５内に沿って臨む接触部３１が突板部２２の底面から剥がれることがない。
【００４８】
シールドシェル金具５は、複数のコンタクト３と補強金具４を一体に取り付けた図８乃至図１０に示す絶縁ハウジング２の外側に取り付けられもので、図３に示すように、一枚の導電性金属板を打ち抜いて折り曲げ加工した筒状の筒状部５１と、筒状部５１の後方に連設され、ハウジング本体２１から後方に突出するコンタクト３の脚部３３を囲うカバー部５２とからなっている。
【００４９】
筒状部５１は、ハウジング本体２１の外周面に沿って取り付けられるもので、後端にカバー部を５２が連設される横長長方形状の帯状板の長手方向をハウジング本体２１の外周面に沿って折り曲げて筒状に加工している。上述のように、ハウジング本体２１の外周面は、前方からみて横長長方形の下側の両角が傾斜線となった６角形となっているので、筒状部５１の輪郭も前方からみて、ほぼ同形状の６角形となっている。この６角形の筒状の形状を維持するように、折り曲げ前の帯状板の長手方向で対向する両側片の輪郭は、筒状に加工した際に互いに噛み合う相補形状としている。本実施の形態では、絶縁ハウジング２の外側にシールドシェル金具５を取り付けたレセプタクルコネクタ１を完成品としているが、シールドシェル金具５の筒状部５１のみでは、強度が不足したり、筒状の形状が展開される恐れがある場合には、筒状部５１の外周を更に別の筒状部材で囲ってレセプタクルコネクタとしても良い。
【００５０】
後述するように、筒状部５１は、その後端をハウジング本体２１の後端とほぼ一致させて、ハウジング本体２１の外周面に沿って取り付けられるが、筒状部５１の軸方向（前後方向）の長さは、絶縁ハウジング２全体の同方向の長さより長く、ハウジング本体２１に取り付けた状態では、ハウジング本体２１の前方に突出する突板部２２の周囲全体を囲い、前端は突板部２２の前方まで突出している。このハウジング本体２１から前方に突出する筒状部５１とハウジング本体２１の前面で囲われる空間は、前方から挿入される相手側プラグと嵌合する嵌合凹部６となる。
【００５１】
嵌合凹部６を構成する筒状部５１の平面には、相手側プラグのロック突起（図示せず）と係合する一対のロック孔５３が穿設されている。相手側プラグを嵌合凹部６内に挿入すると、ロック突起がロック孔５３に嵌入して両者が係合し、レセプタクルコネクタ１に接続する相手側プラグは嵌合凹部６から容易に抜けでないように保持される。筒状部５１の各ロック孔５３の前方には、筒状部５１からガイド片５４が外方に傾斜して切り起こされ、相手側プラグを挿抜させる際のロック突起を、筒状部５１の鉛直面である前面やロック孔５３の前面に当接させることなく、円滑に摺動するように案内している。このように、嵌合凹部６を構成する筒状部５１の平面には、ロック孔５３やガイド片５４を切り起こすことによる開口が形成されるが、突板部２２を補強する補強カバー４１が後述するように接地されるので、コンタクト３とこれらの開口の間に接地した補強カバー４１が介在し、コンタクト３はより完全に電磁シールドされる。
【００５２】
筒状部５１の平面には、更に、後端の中央から前方に向かって位置決め凹部５５が凹設され、位置決め凹部５５の左右の両側からそれぞれ一対の係合片５６が互いの対向方向に向かって突設されている。ハウジング本体２１は、ストッパー２４の前面が位置決め凹部５５内の筒状部５１の後面に当接して前方への移動が規制されるとともに、係合凹部２３内のハウジング本体２１の後面が係合凹部２３内に折り曲げられる一対の係合片５６に当接して後方への移動が規制され、ハウジング本体２１に位置決めされる。
【００５３】
筒状部５１の平面の位置決め凹部５５が形成された両側には、後方に向かってＵ字状に切り欠かれたＵ字溝により前方を自由端側とする板バネ舌片５７が形成されている。板バネ舌片５７は、予め基端から筒状部５１の中心軸方向（内側）に折り曲げ加工され、自由状態で前方に向かって折り曲げ方向に傾斜する姿勢に形成されている。一対の板バネ舌片５７が形成される部位は、筒状部５１をハウジング本体２１に取り付けた際のハウジング本体２１の平面に露出する接触パッド４３に対向する部位であり、従って、図７に示すように、筒状部５１をハウジング本体２１に取り付けると、一対の板バネ舌片５７がそれぞれ対向する接触パッド４３に弾性接触する。
【００５４】
カバー部５２は、筒状部５１の底面とその両側で傾斜する傾斜面をそのまま後方に延長させた形状で形成され、ハウジング本体２１の後方に突出する各コンタクト３の脚部３３の下方と側方を覆う形状となっている。カバー部５２の後端の両側には、各コンタクト３の脚部３３を接続するプリント配線基板の接地パターンに半田接続させる一対の接地脚部５８が立設されている。各コンタクト３の脚部３３は、その上方に配置されるプリント配線基板に接続するので、接地されたカバー部５２とプリント配線基板とで各コンタクト３の脚部３３の周囲全体が囲われ、ハウジング本体２１から後方に突出する脚部３３の部分も電磁シールドされる。
【００５５】
シールドシェル金具５と絶縁ハウジング２との組み立ては、カバー部５２の接地脚部５８と筒状部５１の係合片５６を折り曲げ前の水平な姿勢の状態としておき、筒状部５１の後方から絶縁ハウジング２を挿入し、ストッパー２４が位置決め凹部５５の前方の内壁面に当接するまで筒状部５１内を前方へ挿入する。このとき、筒状部５１の板バネ舌片５７は、前方に向かって内方に傾斜しているので、鉛直片部４１ｂの上端から接触パッド４３の平面に沿って摺動し、絶縁ハウジング２の前方への挿入が規制される位置で、接触パッド４３に弾性接触する。従って、接触パッド４３がハウジング本体２１の平面から突出する状態で露出していても、接触パッド４３の鉛直な前面が筒状部５１の端面に当接させずに、確実に所定位置まで挿入できる。
【００５６】
ストッパー２４が位置決め凹部５５内の筒状部５１の後面に当接する位置で、一対の係合片５６を係合凹部２３内に折り曲げ、係合凹部２３内のハウジング本体２１の後面に当接させて、絶縁ハウジング２をシールドシェル金具５に対して前後方向に位置決めし、両者を組み立てる。その後、カバー部５２の接地脚部５８を上方へ折り曲げてレセプタクルコネクタ１の組み立てが完了する。
【００５７】
レセプタクルコネクタ１を組み立てた状態では、補強金具４は、板バネ舌片５７が接触パッド４３に弾性接触する２箇所の位置でシールドシェル金具５に電気接続し、シールドシェル金具５の接地脚部５８をプリント配線基板の接地電位とした接地パターンへ半田接続することによって、プリント配線基板に接続する脚部を形成することなく接地させることができる。これにより、高周波信号が流れるコンタクト３の接触部３１に接近させて、接地電位の補強カバー４１を配置させることができ、コンタクト３をより確実に電磁シールドすることができる。また、各コンタクト３の接触部３１は、誘電体である突板部２２を隔てて等間隔で接地された補強カバー４１が配置されるので、コンタクト３を高周波伝送路とする伝送路のインピーダンスが安定する。特に、コンタクト３と補強カバー４１を隔てる突板部２２の厚さや補強カバー４１に穿設する窓孔４１ｃの数や大きさを調整することにより、コンタクト３を高周波伝送路とする伝送路の特性インピーダンスを所定値に容易に設定できる。
【００５８】
また、本実施の形態に係るレセプタクルコネクタ１では、嵌合凹部６の内奥面であるハウジング本体２１の前面に金属板からなる補強金具４の鉛直片部４１ｂが臨んでいるので、嵌合凹部６挿入する相手側プラグのストッパーとして作用させることができ、異常挿入力で挿入する相手側プラグから合成樹脂からなるハウジング本体２１や突板部２２が保護される。
【００５９】
本実施の形態では、接触パッド４３をハウジング本体２１の平面に沿って臨ませて、平面を覆うシールドシェル金具５に接触させているが、シールドシェル金具５が取り付けられるハウジング本体２１の外周面であれば、その側面や底面などの任意の位置に接触パッド４３を臨ませ、補強金具４をシールドシェル金具２１に接触させてもよい。
【００６０】
また、本実施の形態に係るシールドシェル金具２１と絶縁ハウジング２の外形から、絶縁ハウジング２を筒状部５１の後方から前方に向けて挿入し、両者を組み立てているが、前方から絶縁ハウジング２を筒状部５１へ挿入して組み立ててもよい。
【００６１】
また、複数のコンタクト３若しくは補強金具４は、絶縁ハウジング２にインサート成形せずに、別に絶縁ハウジング２に対して組み付けるものであってもよい。
【産業上の利用可能性】
【００６２】
本発明は、嵌合凹部内にコンタクトが配置される突板部に、相手方プラグからコンタクトや突板部を保護する補強金具が取り付けられたレセプタクルコネクタに適し、特に、コンタクトに高周波信号が流れるレセプタクルコネクタに適している。
【符号の説明】
【００６３】
１  レセプタクルコネクタ
２  絶縁ハウジング
２１  ハウジング本体
２２  突板部
３  コンタクト
３１  接触部
４  補強金具
４１  補強カバー
４１ｂ  鉛直片部
４３  接触パッド
５  シールドシェル金具
５７  板バネ舌片
６  嵌合凹部
【図１】
2014032816.tif 000003
【図２】
2014032816.tif 000004
【図３】
2014032816.tif 000005
【図４】
2014032816.tif 000006
【図５】
2014032816.tif 000007
【図６】
2014032816.tif 000008
【図７】
2014032816.tif 000009
【図８】
2014032816.tif 000010
【図９】
2014032816.tif 000011
【図１０】
2014032816.tif 000012
【図１１】
2014032816.tif 000013
【図１２】
2014032816.tif 000014
【図１３】
2014032816.tif 000015